(57)【要約】【課題】  スループットを上げつつ、確実な排紙動作を行う。【解決手段】  ロール状記録媒体の切断装置において、  前記記録媒体の切断後の排紙動作として、後続（切断上流側）の記録媒体の所定量のフィード或いはフィードとバックフィードを複数回繰り返すことで、先頭（切断下流側）の記録媒体を押出して排紙を行い、前記フィード量（押し出し量）を印字長さ或いは紙種に応じて可変にする。【選択図】  図４
2006327080.tif 000002
【特許請求の範囲】
【請求項１】
ロール状記録媒体を搬送する搬送ローラと、画像を記録するための記録ヘッドと、概画像記録を行う際に記録媒体を支持するプラテンと、プラテンより下流に配された前記記録媒体の切断手段とを有する切断装置において、
前記記録媒体の切断後の排紙動作として、後続（切断上流側）の記録媒体の所定量のフィード或いはフィードとバックフィードを複数回繰り返すことで、先頭（切断下流側）の記録媒体を押出して排紙を行うことを特徴とする切断装置。
【請求項２】
前記押出し動作のフィード量を印字長さによって可変にすることを特徴とする請求項１に記載の切断装置。
【請求項３】
前記押出し動作のフィード量を紙種によって可変にすることを特徴とする請求項１に記載の切断装置。
【発明の詳細な説明】
【技術分野】
【０００１】
本発明は、ロール状の被記録媒体をシート状に切断する切断装置に関し、主にプリンター、複写機、ファクシミリ、ラミネータ等の出力機器に搭載される切断装置に関する。
【背景技術】
【０００２】
従来、一対の刃を用いて被記録媒体を切断する装置が知られており、このような切断装置は、例えば、ロール状の被記録媒体を収容し、被記録媒体をプラテンまで送り、キャリッジによる記録ヘッドの走査（往復動作）により画像データを記録する画像記録装置に搭載され、画像データを記録した被記録媒体をページ毎に切断し、切り分ける手段として用いられている。
【０００３】
この種の切断装置としては、ナイフ状の刃を用いた切断装置や、一方が長尺の固定刃で他方が回転可能な丸刃を一対の刃として用いた切断装置や、双方共に回転可能な丸刃を用いた切断装置がある。
【０００４】
一方が長尺の固定刃で他方が回転可能な丸刃を一対の刃として用いた切断装置や、双方共に回転可能な丸刃を用いた切断装置のように回転可能な丸刃を用いている切断装置は、ナイフ状の刃を用いている切断装置と比較して、切り口が良好であり、多種多様な被記録媒体の切断が可能であり、かつ長寿命という優位性を有している。
【０００５】
切断後の排紙機構の一般的な構成として、切断装置より搬送方向下流に配した排紙ローラと拍車により排紙動作を行う方式が知られている（特許文献１）。
【０００６】
この方式は装置が大型の場合、排紙ローラや拍車及びそれを支持するステイ部材や駆動機構など大幅のコストアップとなる。また、種々のメディアに対応する装置の場合、特に光沢紙や半光沢紙等表層に所定のコーティングを施した媒体の中には拍車によるメディア表層の傷が発生する可能性もある。
【０００７】
これを改善するために、排紙ローラと拍車を設けずに、排紙動作をカット後の上流側（次頁）の記録媒体を所定量フィードすることで、先頭媒体の後端と次頁媒体の先端の接触或いは先頭媒体の表面と次頁媒体の裏面の摩擦力を利用して排紙動作を行う。これを押出し動作と呼ぶ（特許文献２）。
【特許文献１】特開２００２−３４８０１１号公報
【特許文献２】特開２００４−２６８２２６号公報
【発明の開示】
【発明が解決しようとする課題】
【０００８】
上記装置の場合、次に述べるような問題が発生する。
【０００９】
排紙ガイドの構成によっては印字長さ（記録媒体長）が短いと排紙されず、排紙ガイド上に記録媒体が残る可能性があり、この記録媒体の排紙残りが発生すると次頁の記録媒体と接触することによりＪＡＭになる可能性がある。これを防止するべく確実に排紙させるためには前述の押出し量Ｌを極力長くする必要があるが、これはスループットの低下に繋がってしまう。なお、搬送速度をＶとするとスループットロス分△Ｔ＝Ｌ／Ｖ×２となり倍のロスタイムになる。
【００１０】
また、ロール状記録媒体の保持部に巻き取り機構のない装置は、押出し量Ｌ分（フィード量）が全て巻き緩みとなり、それにより斜行の発生する可能性がある。
【００１１】
本発明は以上の点を鑑み、装置の複雑化やコストアップ、あるいは信頼性の低下を防ぎつつ、高画質化のため記録材の搬送精度をあげることが可能な記録材搬送装置及び画像記録装置の提供することにある。
【課題を解決するための手段】
【００１２】
上記課題を解決するために本発明は、
ロール状記録媒体を搬送する搬送ローラと、画像を記録するための記録ヘッドと、概画像記録を行う際に記録媒体を支持するプラテンと、プラテンより下流に配された前記記録媒体の切断手段とを有する切断装置において、
前記記録媒体の切断後の排紙動作として、後続（切断上流側）の記録媒体の所定量フィード或いはフィードとバックフィードを複数回繰り返すことで、先頭（切断下流側）の記録媒体を押出して排紙を行うことを特徴とする。
【００１３】
また、前記押出し動作のフィード量を印字長さによって可変にしても好適である。
【００１４】
また、前記押出し動作のフィード量を紙種によって可変にしても好適である。
【発明の効果】
【００１５】
本発明によれば、排紙動作として、［フィード→（微少バックフィード）→ストップ］の動作を複数回繰り返すことで記録媒体の後端部と後続する記録媒体の先端部の接触する機会、即ち排紙のきっかけをつくり、より少ない押出し量（排紙量）でもより確実に排紙動作を行うことができる。
【００１６】
また、印字長さが長い或いは紙種の坪量が大きいといったような排紙動作に自重が作用する排紙性良好な条件下では、押出し量を更に短縮化しているため、更なるスループットの高速化が可能である。
【発明を実施するための最良の形態】
【００１７】
以下、図１の記録装置全体の概略構成を示す斜視図を参照して本発明の記録材搬送装置を備えた記録装置の実施形態を説明する。
【００１８】
装置１は大きく分けてロール状の記録紙Ｐｒを回転可能に保持するためのロール紙ホルダー部１０、そこから送り出された記録紙を保持しながら画像形成を行う画像形成部２０、画像形成後の記録紙を切断し機外に排出するための排紙部３０より構成される。
【００１９】
ロール紙ホルダー部１０は、ロール紙Ｐｒをスプール軸１１及び一対のスプールフランジ１２Ｌ，１２Ｒにより回転自在に保持され、スプール軸１１の両端はスプール軸受部１３Ｌ、１３Ｒで受ける構成なっている。なお、ロール紙Ｐｒの交換作業を容易に行うため、前記軸受部１３Ｌ，１３Ｒの手前には、スライド用のスロープ１３’Ｌ，１３’Ｒがあり、作業者はこのスロープに沿ってロール紙Ｐｒの脱着を行う。ロール紙Ｐｒの下部には、作業者が後述する画像形成部２０まで用紙を送り込む際それをサポートする給紙下ガイド１４とそれに対向する給紙上ガイド１５が設けられている。
【００２０】
画像形成部２０には、画像形成時に記録紙を所定量搬送するためのＬＦローラ２１とこれに所定加圧力にて付勢しつつ従動回転する複数個のピンチローラ２２、これを保持するピンチローラアーム２２ａ、吸引孔２３ａにより紙を吸引しつつ平面状に保持するためのプラテン２３、記録ヘッド４１を保持し紙搬送方向Ｙ（これを副走査と呼ぶ）と直角方向Ｘに往復走査する（これを主走査と呼ぶ）キャリッジ４０から構成される。
【００２１】
記録ヘッド４１は周知のインクジェット方式であり、これを保持するキャリッジ４０の主走査方向の往復移動動作に周期して生成された画像データに基づいたヘッド駆動信号によりインク滴を記録紙Ｐｒに向かって吐出し、画像を記録していく。記録紙への画像形成は前記ＬＦローラ２１による所定量搬送（これをバンド搬送という）とキャリッジ４０による記録とを交互に繰り返しながら記録材上に画像を記録していく。
【００２２】
また、キャリッジ４０の左端には、主走査方向―Ｘ（左→右）に走行しながらロール紙Ｐｒを切断するカッターユニット５０が着脱自在に設けられている。
【００２３】
次に図２のカッターユニットの構成を示す図を用いながら、その詳細構成について説明する。
【００２４】
カッターユニット５０には、ロール紙Ｐｒに直接に接触してこのロール紙Ｐｒを切断するカッター刃５１が固定されている。前記プラテン２３のうちカッター刃５１が走行する部分には、カッター刃５１の先端部が入り込むカッター溝２３ｂが形成されている。
【００２５】
カッター刃５１及びその他の構成部品は、カッターホルダ５２内に収容されている。カッターホルダ５２にはＵ字型のフック５２ａが設けらおり、このフック５２ａによってキャリッジ４０に対して脱着自在に固定されている。
【００２６】
カッターホルダ５２内部には、上下動可能なカッタースライダ５３を配されており、このカッタースライダ５３に前記カッター刃と回転可能に保持されるガイドコロ５４が取り付けられており、連動して上下動する。カッター刃５１が収納位置５１’に移動する時には、プラテン２３上に形成されたガイドリブ２３ｃに沿ってガイドコロ５４が上方に押されて収納される。
【００２７】
また、カッタースライダ５３の上部には圧縮コイルバネのカッターバネ５５が設けられ、このカッターバネ５５によってカッター刃５１は下方に付勢されることとなり、この付勢力Ｆが切断時の記録紙へのテンションとなる。
【００２８】
カッタースライダ５３の上端部に爪部５３ａが設けられ、この爪部５３ａがカッターホルダ５２のリブ５２ｂ、５２ｃと選択的に係止されて上下位置が固定される。記録紙切断時は、本体１の最左部までキャリッジ４０がオーバーランをすると壁に設けられた突起部２により、前記爪部５３ａが押されてリリースされ、この爪部５３ａがリブ５２ｃに係止される位置（切断位置）までカッターバネ５５により下方に移動して、前述の切断動作を行う。
【００２９】
カッタースライダ５３には、記録紙を押圧する可撓性の押圧部材５６が取り付けられている。
【００３０】
この押圧部材５６は、記録紙表面（印字面）を摺擦するため、その傷や跡が発生しないよう摺動性良好かつ撥水性が必要であり、本実施例は高分子ポリエチレンが用いられている。
【００３１】
押圧部材５６も前記カッターバネ５５より記録紙側に付勢力Ｆにて押圧されており、これと前記プラテン２３の吸引により記録紙の平面性を維持することでカット性を向上させている。
【００３２】
また、押圧部材５６の両端部には紙ガイド部５６ａ、５６ｂが設けられており、このガイド部材により紙端部の浮きや紙の凹凸があってもこれを吸収し確実に押圧することができる。
【００３３】
次に排紙動作について、図３の排紙動作を示す図を用いながら説明する。
【００３４】
本例には、排紙ローラの無い装置であるため、排紙動作は先頭の記録紙（切断下流側）の後端部を後続の記録紙（切断上流側）の先端部で押し出すことで行う。
【００３５】
印字が終了すると、切断位置まで記録紙Ｐｒがフィードされて前述の切断動作が行われる。
【００３６】
この際、その印字長や記録紙種類の情報を本体制御部にフィードバックして押し出し動作の制御を行う。
【００３７】
そのフローについては図４の排紙動作フローを示す図をもとに説明する。
【００３８】
先ず、印字長が所定長Ａ（本例では７００ｍｍ）より短い場合は、後述する排紙カバー３２上に記録紙が残留しやすいため、押出し量：Ｍａｘ設定となり下記動作を行う。
【００３９】
押出し量：Ｍａｘ設定  ・・・Ｔｏｔａｌフィード量Ｌａｌｌ：本例では３９０ｍｍ
フィードＬ１：２０ｍｍ  →Ｗａｉｔ：０．５ｓ  →フィードＬ２：２０ｍｍ  →Ｗａｉｔ：０．５ｓ  →フィードＬ３：３５０ｍｍ
→待機位置までバックフィード  →次のジョブまで待機
ここで、３回に分けてフィードを行っているのは、後続記録紙の先端部が先頭記録紙の後端部が接触する機会、即ち排紙のきっかけをつくり、より少ない押出し量（排紙量）でもより確実に排紙動作を行うようにしている。また、本例のＴｏｔａｌフィード量は３９０ｍｍとしているがこの長さが長なるほど、フィード（＋Ｙ方向）＋バックフィード（−Ｙ方向）の所要時間が必要となりスループットの低下となる。従って、各フィード量や回数、Ｔｏｔａｌフィード量は、排紙機構の条件等により最適値とすることが望ましい。
【００４０】
次に、印字長が所定長Ａ（本例では７００ｍｍ）より長い場合、記録紙の種類によって排紙性良好な紙種かどうか判定する。
【００４１】
ここで排紙性と記録紙物性の相関について図５の記録紙の特性を示す図を用いて説明する。上は、本例で対応している記録紙の種類と坪量（単位あたり重量）の関係を示すグラフであり、下は記録紙の種類と剛度の関係を示すグラフである。
【００４２】
この記録紙のうち、排紙性として坪量が大きい程、排紙動作に自重が作用するため有利である。逆に排紙性の不利な紙種＝坪量の小さい紙種としては、普通紙や和紙等がある。
【００４３】
また、坪量が大きくても剛性の低い記録紙は、排紙カバーとの摩擦力が高まり滞留しやすくなる上、後続の記録紙にも腰がなくなる分、排紙動作（押し出し動作）は不利となる。この紙種としては、上記に加えて、合成紙やクロス、キャンバスといった繊維系基材の記録紙がある。
【００４４】
これらの情報を元に、記録紙が上記排紙性不利なものと判定されると押出し量Ｌ：Ｍｉｄ設定となり下記動作を行う。
【００４５】
押出し量Ｌ：Ｍｉｄ設定  ・・・Ｔｏｔａｌフィード量：本例では７０ｍｍ
フィードＬ１：２０ｍｍ  →  Ｗａｉｔ：０．５ｓ  →フィードＬ２：５０ｍｍ  →待機位置までバックフィード  →次のジョブまで待機
この場合、前記Ｍａｘ設定に対し３２０ｍｍ短縮しているため、フィード速度を７０ｍｍ／ｓとすると、△Ｔ≒９．１ｓのスループット向上となる。
【００４６】
次に、上記以外の排紙性良好な紙種と判定されると押出し量Ｌ：Ｍｉｎ設定となり下記動作を行う。
【００４７】
押出し量Ｌ：Ｍｉｎ設定  ・・・Ｔｏｔａｌフィード量：本例では２０ｍｍ
フィードＬ１：２０ｍｍ  →待機位置までバックフィード  →次のジョブまで待機
この場合、前記Ｍａｘ設定に対して、押出し量を３６０ｍｍ短縮しているため、△Ｔ≒１０．３ｓのスループット向上となる。
【００４８】
以上のように、排紙動作における押し出し長さとして、印字長さや紙種よって排紙性を考慮しつつ、その性能に応じた必要最小限に設定しているため、信頼性を確保しつつ、スループットの向上が可能である。
【００４９】
なおこの排紙動作は、本例ではナイフ状の刃を用いた切断装置であるが、一方が長尺の固定刃で他方が回転可能な丸刃を一対の刃として用いた切断装置や、双方共に回転可能な丸刃を用いた切断装置であっても適用できる。
【００５０】
排紙部３０には、記録紙Ｐｒを受け排紙姿勢をコントロールする排紙カバー３１と記録紙Ｐｒ上面側のトップカバー３２にて排紙口を形成している。
【００５１】
トップカバー３２は、内部が密閉かつ空洞構造でとなるブロー成型にて形成されている。本実施例では、軽量、高剛性、型代が安い等の理由からこのブロー成型品を採用しており、これは特に大型機の外装部品などで近年多く採用されている。
【図面の簡単な説明】
【００５２】
【図１】実施例説明図（装置全体の概略構成を示す斜視図）。
【図２】実施例説明図（カッターユニットの構成を示す図）。
【図３】実施例説明図（排紙動作を示す図）。
【図４】実施例説明図（排紙動作フローを示す図）。
【図５】実施例説明図（記録紙の特性を示す図）。
【符号の説明】
【００５３】
Ｐｒ  記録紙
Ｆ  カッター付勢力
Ｘ  主走査方向
Ｙ  搬送方向（副走査方向）
Ｌ  押出し長
Ａ  印字長さの閾値
１  本体
２  突起部２
１０  ロールホルダー部
２０  画像形成部
２１  ＬＦローラ
２３  プラテン
２３ｂ  カッター溝
２３ｃ  ガイドリブ
３０  排紙部
３１  排紙カバー
３２  トップカバー
４０  キャリッジ
４１  記録ヘッド
５０  カッターユニット
５１  カッター刃
５１’  カッター刃
５２  カッターホルダ
５２ａ  フック部
５２ｂ  爪係止部
５３  カッタースライダ
５３ａ  爪部
５３ｂ  爪部
５４  ガイドコロ
５５  カッターバネ
５６  押圧部材
【図１】
2006327080.tif 000003
【図２】
2006327080.tif 000004
【図３】
2006327080.tif 000005
【図４】
2006327080.tif 000006
【図５】
2006327080.tif 000007